(57)【要約】【課題】    框材に面材を接着した障子における温度変化等による部材の撓みが防止でき、かつ接着強度を確保することができる建具を提供すること。【解決手段】少なくともパネル材２４の側端面と縦アタッチメント２６の見込み面部２６１との間に隙間Ｓ２を設けたことで、パネル材２４や縦框２３が伸縮しても、この伸縮を吸収することができる。従って、アルミ形材の框材２３と、樹脂製のパネル材２４とを組み合わせて形成された障子２０において温度変化によるパネル材２４や框材２３の撓みを防止することができる。さらに、パネル材２４および框材２３の接着面にプラズマ放電処理が施されていることで、パネル材２４と框材２３との接着強度を高めることができるとともに、接着面に付着したカビ等を殺菌することができる。【選択図】  図５
2006207326.tif 000002
【特許請求の範囲】
【請求項１】
枠体と、この枠体に支持される障子とを備えた建具であって、
前記障子は、上框、下框、および左右の縦框と、これらの各框材における一方の側面に接着される面材と、前記各框材のうちの少なくとも一方の縦框に沿って取り付けられる副框材と、を備えて構成され、
前記面材と前記各框材とは、それぞれの接着面に放電処理を施した後に接着されており、
前記面材の四周の端面のうち少なくとも縦の端面と、この端面と対向する前記各框材の見込み面または前記副框材の見込み面との間には、所定寸法の隙間が設けられ、前記各框材または前記副框材には、前記隙間の側方を覆うカバー部が設けられている建具。
【請求項２】
前記面材および前記各框材の接着面に施す放電処理は、プラズマ放電処理である請求項１に記載の建具。
【請求項３】
前記面材と前記各框材とは、温度変化により粘性が変動する不定形接着材料で接着されている請求項１または請求項２に記載の建具。
【請求項４】
前記隙間は、前記面材の四周の端面のうちの上および左右の三方の端面と、これら三方の端面と対向する前記各框材の見込み面または前記副框材の見込み面との間に設けられている請求項１から請求項３のいずれかに記載の建具。
【請求項５】
前記副框材は、前記各框材のうちの上および左右の三方の框材に取り付けられ、これらの副框材に前記カバー部が設けられている請求項１から請求項４のいずれかに記載の建具。
【請求項６】
前記副框材には、前記障子に所定の機能を付加する機能部品が設けられている請求項１から請求項５のいずれかに記載の建具。
【請求項７】
浴室出入り口に用いられる建具であって、
前記面材が前記各框材における浴室側の側面に接着されている請求項１から請求項６のいずれかに記載の建具。
【発明の詳細な説明】
【技術分野】
【０００１】
本発明は、枠体と、この枠体に支持される障子とを備えた建具に関し、詳しくは、引き違い窓、片引き窓、開き窓、辷り出し窓、嵌め殺し窓等の各種形式のサッシ窓としての建具や、引き戸、開き戸、折れ戸等の各種出入り口としての建具に関する。
【背景技術】
【０００２】
従来より、出入り口に設けられる扉（障子）等として、金属製の枠材（框材）に樹脂製のパネル材を接着して形成されたものが知られている（例えば、特許文献１参照）。この扉では、枠材に形成された凹字形の溝部にパネル材が嵌め込まれて接着されるとともに、扉を支持する金具や扉同士を連結する連結具等が枠材に取り付けられるようになっている。
【０００３】
【特許文献１】特開平９−７２１６６号公報
【発明の開示】
【発明が解決しようとする課題】
【０００４】
しかしながら、従来の扉では、パネル材が框材の溝部に嵌め込まれた状態で接着されているため、框材が建物躯体や枠体に固定あるいは支持された状態において、互いに線膨張係数の異なるパネル材および框材が温度変化等により伸縮（あるいは膨張、収縮）した場合に、伸縮量に差が生じて双方の部材に撓みが発生したり、接着材が切れて接着強度が低下したりする可能性があり問題である。
【０００５】
本発明の目的は、框材に面材を接着した障子における温度変化等による部材の撓みが防止でき、かつ接着強度を確保することができる建具を提供することにある。
【課題を解決するための手段】
【０００６】
本発明の建具は、枠体と、この枠体に支持される障子とを備えた建具であって、前記障子は、上框、下框、および左右の縦框と、これらの各框材における一方の側面に接着される面材と、前記各框材のうちの少なくとも一方の縦框に沿って取り付けられる副框材と、を備えて構成され、前記面材と前記各框材とは、それぞれの接着面に放電処理を施した後に接着されており、前記面材の四周の端面のうち少なくとも縦の端面と、この端面と対向する前記各框材の見込み面または前記副框材の見込み面との間には、所定寸法の隙間が設けられ、前記各框材または前記副框材には、前記隙間の側方を覆うカバー部が設けられていることを特徴とする。
【０００７】
このような構成によれば、面材の縦の端面と、各框材または副框材の見込み面との間に、温度変化等による面材や框材の伸縮量に基づいて設定した所定寸法の隙間（クリアランス）を設けておくことで、面材や框材が伸縮しても、この伸縮を隙間寸法で吸収することができる。従って、アルミ形材等の金属製の框材と、ポリカーボネート等の樹脂製の面材とを組み合わせて形成された障子を、浴室の出入り口や窓等の温度変化の大きい場所に用いた場合であっても、面材や框材の撓みを防止することができる。
そして、隙間の側方を覆うカバー部を框材または副框材に設けたことで、障子の外観（内観）上、隙間が見えなくなるため意匠性を良好にすることができる。
【０００８】
さらに、面材および各框材の接着面に放電処理が施されていることで、面材と框材との接着強度を高めることができるとともに、接着前に接着面に付着したカビやバクテリア等を殺菌することができる。そして、接着面が殺菌処理されることで、製造直後の障子に混入される雑菌を減らすことができ、湿気の多い浴室の出入り口や窓等に用いた場合であっても、カビ等の発生を抑制することができる。ここで、放電処理としては、大気圧中や真空中におけるプラズマ放電処理やコロナ放電処理等、放電により被処理材の表面を改質する処理方法が採用可能である。
また、接着により面材を框材に固定することで、ビス止めにより框組みしたものと比較して、障子の組立工程を簡略化することができるとともに、障子の面内剛性が飛躍的に向上されて開閉時等のがたつきを防止することができる。
【０００９】
この際、本発明の建具では、前記面材と前記各框材とは、温度変化により粘性が変動する不定形接着材料で接着されていることが好ましい。
このような構成によれば、不定形接着材料で面材と框材とを接着することで、接着テープや接着シート等の定形材料を用いる場合のように端材が発生することがなく、破棄される材料を大幅に削減することができる。また、温度変化により粘性が変動する不定形接着材料を用いるとともに、前述のような隙間（クリアランス）を設けたことで、面材および框材に温度変化による伸縮が生じた場合でも、これらの伸縮量の差を接着材料の変形（せん断変形）で吸収することができるため、面材と框材とが互いの伸縮を拘束せず、これらの撓みを防止することができる。
【００１０】
また、本発明の建具では、前記隙間は、前記面材の四周の端面のうちの上および左右の三方の端面と、これら三方の端面と対向する前記各框材の見込み面または前記副框材の見込み面との間に設けられていることが好ましい。
このような構成によれば、面材の三方に隙間（クリアランス）が設けられていることで、これらの隙間によって面材の面内方向（左右および上下）への伸縮を確実に吸収することができる。
【００１１】
さらに、本発明の建具では、前記副框材は、前記各框材のうちの上および左右の三方の框材に取り付けられ、これらの副框材に前記カバー部が設けられていることが好ましい。
このような構成によれば、上および左右の三方の框材に取り付けた副框材にカバー部を設けたことで、面材を框材に接着した後に副框材を取り付けるようにすれば、カバー部が邪魔になることなく障子の組立作業が行えるため、作業性を向上させることができる。
【００１２】
また、本発明の建具では、前記副框材には、前記障子に所定の機能を付加する機能部品が設けられていることが好ましい。
ここで、機能部品としては、枠体に対して障子をスライド開閉可能に案内するための機能を付加する戸車部品や、枠体に対して障子をスイング開閉可能に案内するための機能を付加するヒンジ部品、障子を開閉操作するための機能を付加する取手部品や、枠体に障子を係合させて施錠するための機能を付加する錠部品やラッチ部品、枠体と障子との隙間を塞いで止水性や気密性を付加する気密部品、障子で仕切られた一方および他方の空間を連通させて通気性を付加する換気部品などが例示できる。
このような構成によれば、通常框材に設けられる上述のような機能部品を副框材に設けたことで、框材の寸法（見込み寸法および見付け寸法）を小さくすることができ、障子の外観意匠性をさらに向上させることができる。そして、このように框材の寸法を小さく形成したとしても、面材を接着して障子を形成することで、前述のように障子の面内剛性が高められているため製品性能が確保できる。さらに、機能部品が設けられた副框材を障子の四周全部に設ける必要がなく、障子の外観意匠を維持しつつ各種の機能を付加することができる。
【００１３】
また、本発明の建具は、浴室出入り口に用いられる建具であって、前記面材が前記各框材における浴室側の側面に接着されていることが好ましい。
このような構成によれば、前述のように温度変化が大きくかつ湿度が高い浴室において、障子の各部材の撓みを防止することができるとともに、カビ等の発生を抑制することができる。そして、面材を各框材における浴室側の側面に接着したことで、浴室内からの内観上、障子の框材が目立たず良好なデザインが得られるとともに、障子の浴室側側面がフラットに形成されて段差が少なくなるため、ほこりや水が溜まりにくくなってカビ等の発生を抑制することができる。
【発明を実施するための最良の形態】
【００１４】
以下、本発明の実施形態を図面に基づいて説明する。
図１は、本発明の実施形態に係る建具である折れ戸１を示す正面図である。図２および図３は、折れ戸１を示す縦断面図および横断面図である。図４および図５は、折れ戸１における障子２０を拡大して示す縦断面図および横断面図である。
【００１５】
図１〜図３において、折れ戸１は、それぞれアルミ形材製の上枠１１、下枠１２、および左右の縦枠１３を枠組みして形成された枠体１０と、この枠体１０内部に支持された一対の障子２０（２０Ａ，２０Ｂ）を有して構成された浴室出入り口用建具である。障子２０は、それぞれアルミ形材製の上框２１、下框２２，および左右の縦框２３と、これらの各框材２１，２２，２３における浴室側側面に接着された樹脂（ポリカーボネート）製のパネル材（面材）２４と、上框２１および縦框２３に沿って取り付けられる副框材としての上アタッチメント２５および縦アタッチメント２６とを有して形成されている。そして、一対の障子２０Ａ，２０Ｂにおいて、図１中、中央側の隣接する縦アタッチメント２６Ｂ，２６Ｃ同士がヒンジを介して連結され、左側の障子２０Ａにおける左側の縦アタッチメント２６Ａの上下端部が上枠１１および下枠１２に軸支されている。また、図１中、右側の障子２０Ｂにおける右側の縦アタッチメント２６Ｄの上下端部には、それぞれ戸車（後述）が設けられており、上枠１１および下枠１２には、戸車を案内するレール部１１Ａ，１２Ａが設けられている。
【００１６】
この折れ戸１では、図１中、右側の障子２０Ｂにおける縦アタッチメント２６Ｃ，２６Ｄ間に設けられたハンドル２７を浴室側に引くことで、レール部１１Ａ，１２Ａに戸車が案内されて右側の縦アタッチメント２６Ｄおよび縦框２３が左側に移動するとともに、中央側の縦アタッチメント２６Ｂ，２６Ｃ同士の連結部分が折れ曲がって一対の障子２０Ａ，２０Ｂが開放されるようになっている。一方、障子２０が開放された状態で、ハンドル２７を脱衣室側に押すことで、右側の縦アタッチメント２６Ｄおよび縦框２３が右側に移動するとともに、中央側の縦アタッチメント２６Ｂ，２６Ｃ同士の連結部分が伸びて一対の障子２０Ａ，２０Ｂが閉じるようになっている。このようにして閉じた状態の障子２０および枠体１０において、上アタッチメント２５が上枠１１に設けられた気密材１１Ｂに当接し、下框２２に設けられた気密部材２２Ａが下枠１２に当接し、縦アタッチメント２６Ｂ，２６Ｃが縦枠１３に設けられた気密材１３Ａに当接することで、折れ戸１の水密性が確保されるようになっている。
【００１７】
次に、障子２０の構成について、図４および図５に基づいて詳しく説明する。
障子２０の上框２１は、図４に示すように、浴室側に面した側面部２１１と、この側面部２１１の上端縁から見込み方向浴室側に延出する見込み面部２１２とを有して中空略角筒状に形成されている。そして、上框２１の側面部２１１にパネル材２４の上端部脱衣室側側面が不定形接着材２８を介して接着されている。このパネル材２４の上端面と上框２１の見込み面部２１２との間には、線膨張係数の異なる上框２１およびパネル材２４の温度変化による伸縮量の差を吸収するための隙間Ｓ１が設けられており、パネル材２４が伸びた場合でも上框２１に当接せず、パネル材２４および上框２１に撓みが生じないようになっている。
上アタッチメント２５は、断面略Ｈ字形を有したアルミ形材製であり、上框２１の上面にビス止め固定されている。この上アタッチメント２５の浴室側側面には、上框２１の見込み面部２１２よりも下方に延びた延出片２５１が形成されており、この延出片２５１により隙間Ｓ１の浴室側を覆うカバー部が構成され、浴室側から隙間Ｓ１が見えないようになっている。さらに、延出片２５１は、パネル材２４が温度変化により縮んだ場合のパネル材２４の上端面よりも延出片２５１の下端縁が下方に位置するような長さ寸法に設定されている。
【００１８】
障子２０の下框２２は、図４に示すように、浴室側に面した側面部２２１と、この側面部２２１の下端縁から見込み方向浴室側に延出する見込み面部２２２とを有して中空略角筒状に形成されている。そして、下框２２の側面部２２１にパネル材２４の下端部脱衣室側側面が不定形接着材２８を介して接着されている。このパネル材２４の下端面は、下框２２の見込み面部２２２に当接して設けられており、パネル材２４が下框２２に位置決めされるとともに、不定形接着材２８の粘性が温度変化により変化してもパネル材２４が下がらないようになっている。さらに、パネル材２４の下端面が下框２２の見込み面部２２２に当接していることで、パネル材２４の浴室側表面を伝って流れ落ちた水等が浴室側にスムーズに排水されるようになっている。従って、下框２２には、上框２１に取り付けられたようなアタッチメント（副框材）やカバー部が設けられていない。ただし、適宜なパネル材２４の位置決め手段や排水手段等とともに、アタッチメントや、隙間、カバー部等を下框２２に設けても構わない。
【００１９】
次に、障子２０の縦框２３は、図５に示すように、浴室側に面した側面部２３１を有して中空略角筒状に形成されている。そして、縦框２３の側面部２３１にパネル材２４の側端部脱衣室側側面が不定形接着材２８を介して接着されている。
縦アタッチメント２６は、中空状のアルミ形材製であり、縦框２３の見付け方向外側側面に沿った見込み面部２６１を有して形成され、この見込み面部２６１が縦框２３にビス止め固定されている。この縦アタッチメント２６の浴室側側面には、見込み面部２６１よりも見付け方向内側に延びた延出片（カバー部）２６２が形成されている。そして、パネル材２４の側端面と縦アタッチメント２６の見込み面部２６１との間には、上框２１と同様の隙間Ｓ２が設けられており、この隙間Ｓ２の浴室側は、延出片２６２で覆われている。従って、温度変化によりパネル材２４が伸びた場合でも、その側端面が縦框２３や縦アタッチメント２６に当接しないとともに、パネル材２４が縮んだ場合でも隙間Ｓ２が浴室側から見えないようになっている。
【００２０】
以上の上框２１、下框２２、および縦框２３におけるパネル材２４との接着面である側面部２１１，２２１，２３１、およびパネル材２４における各框材２１，２２，２３との接着面である上下左右端部の脱衣室側側面には、不定形接着材２８によるパネル材２４と各框材２１，２２，２３とを接着する以前に、プラズマ放電処理が施され、接着面が改質されている。
一方、縦アタッチメント２６の中空部２６３には、以下に説明する機能部品が設けられている。
【００２１】
図６(Ａ)〜(Ｃ)は、障子２０の機能部品である上戸車３０を示す三面図である。図７(Ａ)〜(Ｃ)は、障子２０の機能部品である下戸車３１を示す三面図である。図８(Ａ)〜(Ｃ)は、障子２０の機能部品である上ラッチ３２を示す三面図である。図９(Ａ)〜(Ｃ)は、障子２０の機能部品である下ラッチ３３を示す三面図である。
図６〜図９において、上戸車３０は、障子２０Ｂにおける戸先側（図１の右側）の縦アタッチメント２６Ｄの上端部に設けられ、下戸車３１は、縦アタッチメント２６Ｄの下端部に設けられ、上ラッチ３２は、障子２０Ａ，２０Ｂの連結部分における縦アタッチメント２６Ｂ，２６Ｃの上端部に設けられ、下ラッチ３３は、縦アタッチメント２６Ｂ，２６Ｃの下端部に設けられている。
【００２２】
上戸車３０は、縦アタッチメント２６Ｄの中空部２６３に挿入されて固定される上戸車本体部３０１と、この上戸車本体部３０１に突没自在かつ回転自在に支持された上戸車被案内部３０２と、この上戸車被案内部３０２を上方に付勢する上戸車付勢部３０３とを備えて構成されている。上戸車本体部３０１は、縦アタッチメント２６Ｄの上端を塞ぐ端部キャップとしても機能し、縦アタッチメント２６Ｄ内に水や埃等が入らないようになっている。上戸車被案内部３０２は、一対の被案内片３０２Ａを有している。そして、被案内片３０２Ａで上枠１１のレール部１１Ａを挟むとともに、上戸車被案内部３０２が上戸車本体部３０１に対して回転することで、上戸車３０および縦アタッチメント２６Ｄ（つまり障子２０Ｂの戸先側）が上枠１１に沿って案内されるようになっている。
【００２３】
下戸車３１は、上戸車３０と略同様の下戸車本体部３１１と、下戸車被案内部３１２と、下戸車付勢部３１３とに加え、下枠１２のレール部１２Ａ上を転動する車部３１４とを備えて構成されている。そして、下戸車被案内部３１２は、一対の被案内片３１２Ａを有しており、これらの被案内片３１２Ａで下枠１２のレール部１２Ａを挟むとともに、下戸車被案内部３１２が下戸車本体部３１１に対して回転し、車部３１４がレール部１２Ａ上を転動することで、下戸車３１および縦アタッチメント２６Ｄ（つまり障子２０Ｂの戸先側）が下枠１２に沿って案内されるようになっている。
【００２４】
上ラッチ３２は、縦アタッチメント２６Ｂ，２６Ｃの中空部２６３に挿入されて固定される上ラッチ本体部３２１と、この上ラッチ本体部３２１に突没自在に支持された上ラッチ係止部３２２と、この上ラッチ係止部３２２を上方に付勢する上ラッチ付勢部３２３とを備えて構成されている。上ラッチ本体部３２１は、縦アタッチメント２６Ｂ，２６Ｃの上端を塞ぐ端部キャップとしても機能し、縦アタッチメント２６Ｂ，２６Ｃ内に水や埃等が入らないようになっている。上ラッチ係止部３２２は、浴室側および脱衣室側に一対の傾斜面部３２２Ａを有しており、障子２０を閉じる際または開ける際に傾斜面部３２２Ａが上枠１１のレール部１１Ａに押圧され、上ラッチ本体部３２１に上ラッチ係止部３２２が没入するようになっている。そして、障子２０を閉じた状態で、上ラッチ係止部３２２がレール部１１Ａを係止することで、障子２０の開移動が規制され閉状態が維持されるようになっている。
【００２５】
下ラッチ３３は、縦アタッチメント２６Ｂ，２６Ｃの中空部２６３に挿入されて固定される下ラッチ本体部３３１と、この下ラッチ本体部３３１に突没自在に支持された下ラッチ係止部３３２と、この下ラッチ係止部３３２を下方に付勢する下ラッチ付勢部３３３とを備えて構成されている。下ラッチ係止部３３２は、車部３３２Ａを有しており、障子２０を閉じる際または開ける際に車部３３２Ａが下枠１２のレール部１２Ａに押圧されて転動し、下ラッチ本体部３３１に下ラッチ係止部３３２が没入するようになっている。そして、障子２０を閉じた状態で、下ラッチ係止部３３２の車部３３２Ａがレール部１２Ａを係止することで、障子２０の開移動が規制され閉状態が維持されるようになっている。また、下ラッチ３３は、下框２２に設けられた気密部材２２Ａに連続する下ラッチ気密部３３４を有しており、この下ラッチ気密部３３４が下枠１２に当接することで、縦アタッチメント２６Ｂ，２６Ｃ下方位置の水密性が確保されるようになっている。
【００２６】
このような本実施形態によれば、以下のような効果がある。
（１）すなわち、パネル材２４の上端面と上框２１の見込み面部２１２との間に隙間Ｓ１を設け、パネル材２４の側端面と縦アタッチメント２６の見込み面部２６１との間に隙間Ｓ２を設けたことで、パネル材２４や上下左右の框材２１，２２，２３が伸縮しても、この伸縮を吸収することができる。従って、アルミ形材の框材２１，２２，２３と、樹脂製のパネル材２４とを組み合わせて形成された障子２０を、温度変化の大きい浴室の出入り口に用いても、パネル材２４や框材２１，２２，２３の撓みを防止することができる。
【００２７】
（２）さらに、隙間Ｓ１，Ｓ２の浴室側側方を上アタッチメント２５の延出片２５１および縦アタッチメント２６の延出片２６２で覆ったことで、障子２０を浴室側から見た場合に隙間Ｓ１，Ｓ２が見えなくなるため、障子２０の意匠性を良好にすることができる。そして、上アタッチメント２５および縦アタッチメント２６の延出片２５１，２６２で隙間Ｓ１，Ｓ２を覆うようにしたことで、パネル材２４を上下左右の框材２１，２２，２３に接着した後に上アタッチメント２５および縦アタッチメント２６を取り付けるようにすれば、延出片２５１，２６２が邪魔になることなく障子２０の組立作業が行えるため、作業性を向上させることができる。
【００２８】
（３）また、パネル材２４および上下左右の框材２１，２２，２３の接着面にプラズマ放電処理が施されていることで、パネル材２４と框材２１，２２，２３との接着強度を高めることができるとともに、接着前に接着面に付着したカビやバクテリア等を殺菌することができる。そして、接着面が殺菌処理されることで、製造直後の障子２０に混入される雑菌を減らすことができ、湿気の多い浴室の出入り口に用いても、カビ等の発生を抑制することができる。
【００２９】
（４）また、接着によりパネル材２４を上下左右の框材２１，２２，２３に固定することで、ビス止めにより框組みしたものと比較して、障子２０の組立工程を簡略化することができるとともに、障子２０の面内剛性が飛躍的に向上されて開閉時等のがたつきを防止することができる。そして、浴室内からの内観上、障子２０の框材２１，２２，２３が目立たず良好なデザインが得られるとともに、障子２０の浴室側側面がフラットに形成されて段差が少なくなるため、ほこりや水が溜まりにくくなってカビ等の発生を一層抑制することができる。
【００３０】
（５）さらに、不定形接着材２８でパネル材２４と上下左右の框材２１，２２，２３とを接着することで、接着テープや接着シート等の定形材料を用いる場合のように端材が発生することがなく、破棄される材料を大幅に削減することができる。そして、温度変化により粘性が変動する不定形接着材２８を用いるとともに、パネル材２４の端面位置に隙間Ｓ１，Ｓ２が設けられていることで、パネル材２４および框材２１，２２，２３に温度変化による伸縮が生じた場合でも、これらの伸縮量の差を不定形接着材２８のせん断変形で吸収することができるため、パネル材２４と框材２１，２２，２３とが互いに拘束し合うことがなく、パネル材２４や框材２１，２２，２３の撓みを確実に防止することができる。
【００３１】
（６）また、機能部品である上戸車３０、下戸車３１、上ラッチ３２、および下ラッチ３３を縦アタッチメント２６に取り付けたことで、框材２１，２２，２３の寸法を小さくすることができ、障子２０の外観意匠性をさらに向上させることができる。そして、このように框材２１，２２，２３の寸法を小さく形成したとしても、パネル材２４を接着して障子２０を形成したことで、前述のように障子２０の面内剛性が高められているため製品性能が確保できる。
【００３２】
なお、本発明は、前記各実施形態に限定されるものではなく、本発明の目的を達成できる他の構成等を含み、以下に示すような変形等も本発明に含まれる。
例えば、前記実施形態では、浴室出入り口に用いられる折れ戸１を例示して説明したが、本発明の建具は、引き戸や開き戸等の各種出入り口であってもよく、また引違い窓や片引き窓、開き窓、辷り出し窓、内倒し窓、嵌め殺し窓等の各種形式のサッシ窓であってもよい。
【００３３】
また、前記実施形態の障子２０では、上框２１および左右の縦框２３に副框材である上アタッチメント２５および縦アタッチメント２６を取り付けたが、これに限らず、少なくとも一方の縦框２３に副框材が設けられていればよく、また上下左右の框材２１，２２，２３の全てに副框材が設けられていてもよい。
また、前記実施形態の障子２０では、パネル材２４の上端面および側端面と、上框２１および縦アタッチメント２６との間、すなわちパネル材２４の三方に隙間Ｓ１，Ｓ２を設けたが、これに限らず、少なくともパネル材２４の一方の側端面部分に隙間が設けられていればよく、またパネル材２４の四周全ての端面部分に隙間が設けられていてもよい。
さらに、隙間Ｓ１，Ｓ２の浴室側側方を覆うカバー部は、上および縦のアタッチメント２５，２６に設けた延出片２５１，２６２で構成されるものに限らず、上框２１および縦框２３に設けられていてもよい。
【００３４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３５】
【図１】本発明の実施形態に係る建具を示す正面図である。
【図２】前記建具を示す縦断面図である。
【図３】前記建具を示す横断面図である。
【図４】前記建具における障子を拡大して示す縦断面図である。
【図５】前記建具における障子を拡大して示す横断面図である。
【図６】(Ａ)〜(Ｃ)は、前記障子の機能部品である上戸車を示す三面図である。
【図７】(Ａ)〜(Ｃ)は、前記障子の機能部品である下戸車を示す三面図である。
【図８】(Ａ)〜(Ｃ)は、前記障子の機能部品である上ラッチを示す三面図である。
【図９】(Ａ)〜(Ｃ)は、前記障子の機能部品である下ラッチを示す三面図である。
【符号の説明】
【００３６】
１０…枠体、１１…上枠、１２…下枠、１３…縦枠、２０…障子、２１…上框、２２…下框、２３…縦框、２４…パネル材（面材）、２５…副框材である上アタッチメント、２６…副框材である縦アタッチメント、２８…不定形接着材、３０…機能部品である上戸車、３１…機能部品である下戸車、３２…機能部品である上ラッチ、３３…機能部品である下ラッチ、２１２…見込み面部、２５１…カバー部である延出片、２６１…見込み面部、２６２…カバー部である延出片。
【図１】
2006207326.tif 000003
【図２】
2006207326.tif 000004
【図３】
2006207326.tif 000005
【図４】
2006207326.tif 000006
【図５】
2006207326.tif 000007
【図６】
2006207326.tif 000008
【図７】
2006207326.tif 000009
【図８】
2006207326.tif 000010
【図９】
2006207326.tif 000011